(57)【要約】【課題】蓋体の意図しない開栓を防止する機構を有し、容易に製造することができる、キャップ付き容器を提供すること。【解決手段】内容物を取り出すための容器口部１を有する容器と、容器口部１に回転可能に装着されたキャップ２０とを有し、容器口部１は、円周方向に延び、切り欠き部１３ａを有する凸部である係合リング１３を有し、キャップ２０は、キャップ本体３０と、キャップ本体３０にヒンジを介して連結された蓋体５０とを有し、蓋体５０は、ヒンジによって揺動し、係合リング１３に向かって延在する係合アーム５３を有し、係合アーム５３は、先端に係合部５３ａを有し、容器口部１上でキャップ２０を回転させたときに、係合アーム５３が係合リング１３の切り欠き部１３ａ以外の位置にあるときには、係合アーム５３の係合部５３ａと係合リング１３とが係合して、蓋体５０の開栓方向への揺動が防止されるように構成されている、キャップ付き容器１００。【選択図】図７
2020011735.tif 000002
【特許請求の範囲】
【請求項１】
内容物を取り出すための容器口部を有する容器と、前記容器口部に回転可能に装着されたキャップとを有する、キャップ付き容器であって、
前記容器口部は、円周方向に延び、かつ切り欠き部を有する凸部である係合リングを外周面に有し、
前記キャップは、キャップ本体と、前記キャップ本体にヒンジを介して連結された蓋体とを有し、
前記蓋体は、前記ヒンジによって揺動して開栓及び閉栓を行うことができ、かつ、前記蓋体から前記係合リングに向かって延在する係合アームを有し、
前記係合アームは、先端に係合部を有し、かつ、
前記容器口部上で前記キャップを回転させたときに、
前記係合アームが前記係合リングの前記切り欠き部以外の位置にあるときには、前記係合アームの係合部と前記係合リングとが係合して、前記蓋体の開栓方向への揺動が防止され、かつ、
前記係合アームが前記係合リングの前記切り欠き部の位置にあるときには、前記蓋体の開栓方向への揺動が可能となる
ように構成されている、キャップ付き容器。
【請求項２】
前記キャップ本体は、
前記内容物を流通させるためのキャップ口部、及び
前記蓋体が閉状態のときに前記係合アームを貫通させて、前記係合部を前記係合リングに到達させるための孔
を有し、かつ、
前記蓋体が閉状態のときに、前記蓋体及び前記キャップ口部により密閉を形成する、
請求項１に記載のキャップ付き容器。
【請求項３】
前記係合アームの数が、１本である、請求項１又は２に記載のキャップ付き容器。
【請求項４】
前記係合アームの数が、２本以上である、請求項１又は２に記載のキャップ付き容器。
【請求項５】
前記係合アームが前記係合リングの切り欠き部以外の位置にあるときに前記蓋体を閉方向に揺動させた場合、前記係合アームの係合部が前記係合リングを乗り越えて、前記蓋体が閉状態に至ることができる、請求項１〜４のいずれか一項に記載のキャップ付き容器。
【請求項６】
前記係合リングが、前記容器と一体に形成されている、請求項１〜５のいずれか一項に記載のキャップ付き容器。
【請求項７】
前記係合リングが、前記容器とは別の部品であり、かつ、前記容器の口部に装着されている、請求項１〜５のいずれか一項に記載のキャップ付き容器。
【請求項８】
前記キャップが、略円柱形状を有する、請求項１〜７のいずれか一項に記載のキャップ付き容器。
【請求項９】
前記キャップが、略楕円柱形状又は略多角柱形状を有する、請求項１〜７のいずれか一項に記載のキャップ付き容器。
【請求項１０】
キャップ本体と、前記キャップ本体にヒンジを介して連結された蓋体とを有するキャップであって、
前記蓋体は、前記ヒンジによって揺動して開閉可能であり、閉状態で前記キャップ本体と共働して容器口部を密閉することができ、かつ、前記蓋体から延在する係合アームを有し、
前記係合アームは、先端に係合部を有し、かつ、
請求項１〜９のいずれか一項に記載のキャップ付き容器に用いられる、
キャップ。
【請求項１１】
内容物を取り出すための容器口部を有する容器であって、
前記容器口部は、円周方向に延び、かつ切り欠き部を有する凸部である係合リングを外周面に有し、そして、
請求項１〜９のいずれか一項に記載のキャップ付き容器に用いられる、
容器。
【発明の詳細な説明】
【技術分野】
【０００１】
本発明は、キャップ付き容器に関する。
【背景技術】
【０００２】
シャンプー・リンス等の日用品、洗剤、化粧品、消毒液等の内容物を収納するための容器として、キャップ付き容器が多用されている。キャップ付き容器のキャップとしては、キャップ本体と、このキャップ本体にヒンジを介して連結されている蓋体とを有する構成のものが知られている。このキャップ付き容器では、片手で蓋体を揺動させることによって、容易に開栓及び閉栓を行うことができる。
【０００３】
このような容器では、蓋体が閉状態にあるときには、蓋体とキャップ本体とが嵌合して密閉が形成されており、この嵌合状態を解除しないと、内容物を排出できない構成を有している。
【０００４】
しかし、このような容器を、例えば、バック等に入れて持ち歩いている際に容器の蓋体に不用意な力が加わることにより、又は子どものいたずらにより、蓋体とキャップ本体との嵌合が意図せずに解除され、内容物が意図せずに漏れ出ることがある。
【０００５】
このような意図しない内容物の漏出を防止するための技術が提案されている。例えば特許文献１には、ベースと、ベース上に回転可能に保持されたキャップ本体とを備える、２つの部品から成るキャップであって、キャップ本体はヒンジを介して揺動可能に連結された蓋体を有し、ベースとキャップ本体との間の回転によって蓋体の開栓方向への揺動を防止するロック機構が設けられたキャップが記載されている。
【先行技術文献】
【特許文献】
【０００６】
【特許文献１】特開２００２−３３７９０４号公報
【発明の概要】
【発明が解決しようとする課題】
【０００７】
本発明の目的は、蓋体の意図しない開栓を防止する機構を有し、少ない部品数で容易に製造することができる、キャップ付き容器を提供することである。
【課題を解決するための手段】
【０００８】
上記の目的を達成する本発明は、以下のとおりである。
【０００９】
《態様１》
内容物を取り出すための容器口部を有する容器と、前記容器口部に回転可能に装着されたキャップとを有する、キャップ付き容器であって、
前記容器口部は、円周方向に延び、かつ切り欠き部を有する凸部である係合リングを外周面に有し、
前記キャップは、キャップ本体と、前記キャップ本体にヒンジを介して連結された蓋体とを有し、
前記蓋体は、前記ヒンジによって揺動して開栓及び閉栓を行うことができ、かつ、前記蓋体から前記係合リングに向かって延在する係合アームを有し、
前記係合アームは、先端に係合部を有し、かつ、
前記容器口部上で前記キャップを回転させたときに、
前記係合アームが前記係合リングの前記切り欠き部以外の位置にあるときには、前記係合アームの係合部と前記係合リングとが係合して、前記蓋体の開栓方向への揺動が防止され、かつ、
前記係合アームが前記係合リングの前記切り欠き部の位置にあるときには、前記蓋体の開栓方向への揺動が可能となる
ように構成されている、キャップ付き容器。
《態様２》
前記キャップ本体は、
前記内容物を流通させるためのキャップ口部、及び
前記蓋体が閉状態のときに前記係合アームを貫通させて、前記係合部を前記係合リングに到達させるための孔
を有し、かつ、
前記蓋体が閉状態のときに、前記蓋体及び前記キャップ口部により密閉を形成する、
態様１に記載のキャップ付き容器。
《態様３》
前記係合アームの数が、１個である、態様１又は２に記載のキャップ付き容器。
《態様４》
前記係合アームの数が、２個以上である、態様１又は２に記載のキャップ付き容器。
《態様５》
前記係合アームが前記係合リングの切り欠き部以外の位置にあるときに前記蓋体を閉方向に揺動させた場合、前記係合アームの係合部が前記係合リングを乗り越えて、前記蓋体が閉状態に至ることができる、態様１〜４のいずれか一項に記載のキャップ付き容器。
《態様６》
前記係合リングが、前記容器と一体に形成されている、態様１〜５のいずれか一項に記載のキャップ付き容器。
《態様７》
前記係合リングが、前記容器とは別の部品であり、かつ、前記容器の口部に装着されている、態様１〜５のいずれか一項に記載のキャップ付き容器。
《態様８》
前記キャップが、略円柱形状を有する、態様１〜７のいずれか一項に記載のキャップ付き容器。
《態様９》
前記キャップが、略楕円柱形状又は略多角柱形状を有する、態様１〜７のいずれか一項に記載のキャップ付き容器。
《態様１０》
キャップ本体と、前記キャップ本体にヒンジを介して連結された蓋体とを有するキャップであって、
前記蓋体は、前記ヒンジによって揺動して開閉可能であり、閉状態で前記キャップ本体と共働して容器口部を密閉することができ、かつ、前記蓋体から延在する係合アームを有し、
前記係合アームは、先端に係合部を有し、かつ、
態様１〜９のいずれか一項に記載のキャップ付き容器に用いられる、
キャップ。
《態様１１》
内容物を取り出すための容器口部を有する容器であって、
前記容器口部は、円周方向に延び、かつ切り欠き部を有する凸部である係合リングを外周面に有し、そして、
態様１〜９のいずれか一項に記載のキャップ付き容器に用いられる、
容器。
【発明の効果】
【００１０】
本発明のキャップ付き容器は、１個の部品で構成され、蓋体の意図しない開栓を防止する機構を有するキャップを含む。本発明のキャップ付き容器は、部品数が少ないことから、容易かつ安価に製造することができるとともに、蓋体の意図しない開栓を防止する機構により、内容物の意図しない漏出を効果的に防止することができる。
【図面の簡単な説明】
【００１１】
【図１】図１は、本発明のキャップ付き容器における容器口部の形状の一例を説明するための３面図である。
【図２】図２は、図１背面図のＡ−Ａ線断面図である。
【図３】図３は、図１に示した容器口部の斜視図である。
【図４】図４は、本発明のキャップ付き容器におけるキャップの形状の一例を説明するための６面図である。ただし、左側面図は、右側面図と対称に現れるため省略した。
【図５】図５は、図４の平面図のＡ−Ａ線断面図である。
【図６】図６は、図４に示したキャップの斜視図である。図６（ａ）は蓋体（５０）が開状態、図６（ｂ）は蓋体（５０）が閉状態である。
【図７】図７は、図１〜図３に示した容器口部と、図４〜６に示したキャップとから構成されるキャップ付き容器の状態を説明するための断面図である。図７（ａ）は、係合アーム（５３）が係合リング（１３）の切り欠き部（１３ａ）以外の位置にあるときを示し、図７（ｂ）は、係合アーム（５３）が係合リング（１３）の切り欠き部（１３ａ）の位置にあるときを示す。
【図８】図８は、本発明のキャップ付き容器におけるキャップの形状の別の一例を説明するための６面図である。ただし、左側面図は、右側面図と対称に現れるため省略した。
【図９】図９は、本発明のキャップ付き容器におけるキャップの形状の更に別の一例を説明するための６面図である。ただし、左側面図は、右側面図と対称に現れるため省略した。
【図１０】図１０は、図９に示したキャップと組み合わせて使用される容器口部の形状の一例を説明するための３面図である。
【図１１】図１１は、本発明のキャップ付き容器における容器口部の形状の別の一例を説明するための３面図である。
【発明を実施するための形態】
【００１２】
《キャップ付き容器》
本発明のキャップ付き容器は、
内容物を取り出すための容器口部を有する容器と、上記容器口部に回転可能に装着されたキャップとを有する、キャップ付き容器であって、
上記容器口部は、円周方向に延び、かつ切り欠き部を有する凸部である係合リングを外周面に有し、
上記キャップは、キャップ本体と、上記キャップ本体にヒンジを介して連結された蓋体とを有し、
上記蓋体は、上記ヒンジによって揺動して開栓及び閉栓を行うことができ、かつ、上記蓋体から上記係合リングに向かって延在する係合アームを有し、
上記係合アームは、先端に係合部を有し、かつ、
上記容器口部上で上記キャップを回転させたときに、
上記係合アームが上記係合リングの上記切り欠き部以外の位置にあるときには、上記係合アームの係合部と上記係合リングとが係合して、上記蓋体の開栓方向への揺動が防止され、かつ、
上記係合アームが上記係合リングの上記切り欠き部の位置にあるときには、上記蓋体の開栓方向への揺動が可能となる
ように構成されている。
【００１３】
以下、本発明のキャップ付き容器について、図面を参照しつつ詳細に説明する。しかしながら本発明は、以下に図示された特定の態様に限定されることはない。本発明の範囲は、添付の特許請求の範囲によって画定される。
【００１４】
図１の容器口部（１）は、口端部（１ａ）と、係合リング（１３）と、容器口部嵌合リング（１４）とを有する。口端部（１ａ）は、内容物を取り出すときの出口となる。係合リング（１３）は、容器口部（１）の外周面（１２）上に、円周方向に延びるように突出する凸部であるが、円周の一部に切り欠き部（１３ａ）を有する。この切り欠き部（１３ａ）では、外周面（１２）は突出しておらず、外周面（１２）の他の部分と同じ面を構成している。切り欠き部（１３ａ）の数は、キャップ蓋体の有する係合アームの数と同じか、これよりも多い数であってよい。図１の容器口部（１）では、係合リング（１３）の有する切り欠き部（１３ａ）の数は１個である。
【００１５】
容器口部嵌合リング（１４）は、容器口部（１）の外周面（１２）上に、円周方向に延びるように突出する凸部である。この容器口部嵌合リング（１４）は、後述のキャップ本体嵌合リング（３６）と嵌合して、容器口部（１）上からキャップ（２０）が外れないように保持するとともに、容器口部嵌合リング（１４）とキャップ本体嵌合リング（３６）とが互いに滑動して、容器口部（１）上でキャップ（２０）を回転可能とさせる機能を有する。図１の容器口部（１）における容器口部嵌合リング（１４）は切り欠き部を有さないが。容器口部嵌合リング（１４）は、キャップ（２０）を回転可能に装着させ得る限り、１個又は２個以上の切り欠き部を有していてもよい。
【００１６】
図１の容器口部（１）において、係合リング（１３）及び容器口部嵌合リング（１４）は、それぞれ、容器口部と一体に形成されていてもよいし、容器口部とは別の部品であって、容器口部に装着されているものであってもよい。
【００１７】
図１のＡ−Ａ線断面図を図２に、容器口部（１）の斜視図を図３に、それぞれ示す。なお図３の斜視図では、切り欠き部（１３ａ）は図の背面に位置するため、視認されない。
【００１８】
図４のキャップ（２０）は、キャップ本体（３０）と、前記キャップ本体にヒンジ（４０）を介して連結された蓋体（５０）とを有する。蓋体（５０）は、ヒンジ（４０）によって揺動して開栓及び閉栓を行うことができる。図４では、蓋体（５０）が開状態であるキャップ本体（３０）を示している。
【００１９】
キャップ（２０）の蓋体（５０）は、ヒンジ（４０）から立ち上がる蓋懸垂部（５１）と、この蓋懸垂部（５１）に保持された蓋平面部（５２）とを有する。
【００２０】
蓋体（５０）は、蓋平面部（５２）から略垂直に立ち上がる係合アーム（５３）を有する。この係合アーム（５３）は、先端に係合部（５３ａ）を有する。この係合アーム（５３）は、蓋体（５０）が閉状態のときに、容器口部（１）の係合リング（１３）に向かい、かつ、係合部（５３ａ）が容器口部（１）の係合リング（１３）と係合して、蓋体（５０）の開栓方向への揺動が防止されるように構成されている。図４のキャップ（２０）では、蓋体（５０）の有する係合アーム（５３）の数は１個であるが、この数は２個以上であってもよい。
【００２１】
キャップ（２０）の蓋体（５０）は、閉状態のときにキャップ口部（３２）とともに、密閉を形成する。具体的には例えば、蓋体（５０）は、閉状態のときにキャップ口部（３２）と接触して密閉を形成するための蓋密閉形成部（５５）を更に有していてよい。この蓋密閉形成部（５５）は、密閉を形成するために、例えば、リング、フィン、ピン、インサート、スリーブ、スカート等を有していてよい。図４のキャップ（２０）の蓋体（５０）における蓋密閉形成部（５５）は、図５に示したように、キャップ口部（３２）を内側及び外側から挟持するように同心円状に配置されたキャップ密閉リング（５５ａ）及びリング状のキャップ密閉インサート（５５ｂ）を有する。
【００２２】
キャップ（２０）におけるキャップ本体（３０）は、キャップ本体平面部（３１）と、このキャップ本体平面部（３１）に保持されたキャップ本体懸垂部（３５）とを有していてよい。
【００２３】
キャップ本体（３０）は、内容物を流通させるためのキャップ口部（３２）、及び蓋体（５０）が閉状態のときに係合アーム（５３）を貫通させるための孔（３３）を有していてよい。キャップ本体（３０）がキャップ本体平面部（３１）を有するとき、キャップ口部（３２）及び孔（３３）は、それぞれ、キャップ本体平面部（３１）に形成されていてよい。
【００２４】
図４のキャップ（２０）では、キャップ本体（３０）がキャップ本体平面部（３１）を有し、このキャップ本体平面部（３１）は、内容物を流通させるためのキャップ口部（３２）、及び蓋体（５０）が閉状態のときに係合アーム（５３）を貫通させるための孔（３３）を有する。蓋体（５０）が閉状態のときには、係合アーム（５３）が孔（３３）を貫通して係合リング（１３）に到達するとともに、蓋体（５０）とキャップ口部（３２）とが係合して密閉を形成する。孔（３３）の数は、係合アーム（５３）の数と同じであってよく、図４のキャップ（２０）のキャップ本体平面部（３１）では、孔（３３）の数は１個である。
【００２５】
キャップ本体平面部（３１）は、その裏側（蓋体（５０）が閉状態のときに、蓋体（５０）に向く面とは反対側の面）に、容器口部（１）の口端部（１ａ）と接触して密閉を形成するための裏面密閉形成部（３４）を有する。この裏面密閉形成部（３４）は、密閉を形成するために、例えば、リング、フィン、ピン、インサート、スリーブ、スカート等を有していてよい。図４のキャップ（２０）のキャップ本体（３０）は、裏面密閉形成部（３４）に、容器口部（１）の口端部（１ａ）の外側に接触するように配置された、裏面密閉リング（３４ａ）を有する。
【００２６】
図４のＡ−Ａ線断面図を図５に示す。図５を参照すると、キャップ本体（３０）は、容器口部（１）の容器口部嵌合リング（１４）と嵌合するためのキャップ本体嵌合リング（３６）を有する。このキャップ本体嵌合リング（３６）は、容器口部嵌合リング（１４）と嵌合して、容器口部（１）上からキャップ（２０）が外れないように保持するとともに、キャップ本体嵌合リング（３６）と容器口部嵌合リング（１４）とが互いに滑動して、容器口部（１）上でキャップ（２０）を回転可能とさせる機能を有する。図５に示したキャップ本体嵌合リング（３６）は切り欠き部を有さないが、キャップ（２０）を回転可能に装着し得る限り、１個又は２個以上の切り欠き部を有していてもよい。
【００２７】
更に、蓋体（５０）が開状態のキャップ（２０）の斜視図を図６（ａ）に、蓋体（５０）が閉状態のキャップ（２０）の斜視図を図６（ｂ）に、それぞれ示す。
【００２８】
図１の容器口部（１）に図４のキャップ（２０）を装着した状態のキャップ付き容器（１００）の断面図を、図７に示す。図７では、キャップ（２０）の蓋体（５０）が閉状態である。
【００２９】
図７（ａ）は、容器口部（１）とキャップ（２０）とから構成される、キャップ付き容器（１００）の断面図である。図７（ａ）では、係合アーム（５３）が係合リング（１３）の切り欠き部（１３ａ）以外の位置にある、図７（ａ）において、容器口部（１）の口端部（１ａ）は、キャップ本体（３０）裏面の裏面密閉形成部（３４）と接触し、かつ、口端部（１ａ）の外側面が裏面密閉リング（３４ａ）に囲まれることにより、口端部（１ａ）とキャップ本体（３０）との間に密閉が形成されている。更に、キャップ本体平面部（３１）のキャップ口部（３２）は、蓋体（５０）の有するキャップ密閉リング（５５ａ）及びキャップ密閉インサート（５５ｂ）に内側及び外側から挟持されることにより、キャップ本体（３０）と蓋体（５０）との間に密閉が形成されている。これらのことにより、キャップ付き容器（１００）が密閉されている。
【００３０】
キャップ（２０）は、キャップ本体嵌合リング（３６）が容器口部嵌合リング（１４）と嵌合していることにより、容器口部（１）に回転可能に装着されている。容器口部（１）上でキャップ（２０）を回転することにより、係合アーム（５３）と、係合リング（１３）及び切り欠き部（１３ａ）との相対的な位置関係を変更することができる。
【００３１】
図７（ａ）の状態では、係合アーム（５３）は、その係合部（５３ａ）が係合リング（１３）の凸部と係合してロックされているから、蓋体（５０）の意図しない開栓方向への揺動は防止されている。
【００３２】
図７（ｂ）は、図７（ａ）の状態から容器口部（１）上でキャップ（２０）を回転させて、係合アーム（５３）が係合リング（１３）の切り欠き部（１３ａ）の位置にある、キャップ付き容器（１００）の断面図である。この状態では、係合アーム（５３）の係合部（５３ａ）の位置には係合リング（１３）の凸部がないから、係合アーム（５３）はロックされておらず、したがって、蓋体（５０）は開栓方向へ揺動することができる。
【００３３】
図１〜図７に示したキャップ付き容器（１００）において、キャップ（２０）の蓋体（５０）を開状態から閉状態へと揺動させるときには、次の（１）及び（２）のいずれの構成であってもよい。
【００３４】
（１）係合アーム（５３）が係合リング（１３）の切り欠き部（１３ａ）以外の位置にあるときには、係合アーム（５３）の係合部（５３ａ）の閉方向への移動が係合リング（１３）にブロックされ、したがって蓋体（５０）の閉方向への揺動が出来ず、かつ、
容器口部（１）上でキャップ（２０）を回転させて、係合アーム（５３）が係合リング（１３）の切り欠き部（１３ａ）の位置にあるようにしたときに、係合アーム（５３）の閉方向への移動が可能となり、蓋体（５０）の閉方向への揺動が可能となる構成。
【００３５】
（２）係合アーム（５３）が係合リング（１３）の切り欠き部（１３ａ）以外の位置にあるときでも、係合アーム（５３）の係合部（５３ａ）が係合リング（１３）を乗り越えて閉方向へ移動することができ、これによって蓋体（５０）が閉状態に揺動することができる構成。
【００３６】
本発明のキャップ付き容器は、例えば図１〜図７に示した以上の機構により、携帯時の意図しない開栓、誤操作による開栓等の意図しない開栓を防止することができるとともに、簡単な操作で開栓することが可能なのである。
【００３７】
本発明のキャップ付き容器は、図１〜図７に示した態様に限られず、本発明の趣旨の範囲内でその他の態様であってもよい。
【００３８】
図８のキャップ（２１）は、係合アーム（５３）が蓋懸垂部（５１）の端部から斜めに立ち上がっており、この斜めの係合アーム（５３）を貫通させるために、キャップ本体平面部（３１）に存在する孔（３３）が半径方向に長めに形成されている他は、図４のキャップ（２０）と同じである。図８のキャップ（２１）では、蓋体（５０）の有する係合アーム（５３）の数は１個であるが、この数は２個以上であってもよい。
【００３９】
図９のキャップ（２２）は、蓋平面部（５２）の中心からヒンジ（４０）に対してプラスマイナス９０°の位置に２個の係合アーム（５３）を有し、これらを貫通させるために、キャップ本体平面部（３１）の中心からヒンジ（４０）に対してプラスマイナス９０°の位置に２個の孔（３３）を有する他は、図４のキャップ（２０）と同じである。
【００４０】
図９のキャップ（２２）は、例えば図１０の容器口部（２）と組み合わせて用いられる。図１０の容器口部（２）は、係合リング（１３）が２個の切り欠き部（１３ａ）を有し、これら２個の切り欠き部（１３ａ）が２個の係合アーム（５３）に対応する位置にそれぞれ存在する他は、図１の容器口部（１）と同じである。
【００４１】
図９のキャップ（２２）では、蓋体（５０）の有する係合アーム（５３）の数は２個であるが、この数は３個以上であってもよい。
【００４２】
図１１の容器口部（３）は、容器口部の別の一例である。図１１の容器口部（３）では、係合リング（１３）の幅が広く（容器口部の軸方向に長く）形成されており、係合リング（１３）が口端部（３ａ）の直近から始まっている。これに対応して、係合リング（１３）の切り欠き部（１３ａ）の幅も広い。図１１の容器口部（３）では、係合リング（１３）が容器口部嵌合リングの機能を併有していてもよい。
【００４３】
本発明のキャップ付き容器は、図１〜図１１に示した態様に限られず、本発明の趣旨の範囲内でその他の態様であってもよい。
【００４４】
例えば、キャップ本体の平面部が、面状ではなく、例えば、メッシュ状、放射状等の、複数の孔を有する態様であってもよい。この場合、蓋体が閉状態のときに係合アームが貫通するように、複数の孔の配置を調節することにより、平面部は係合部を係合リングに到達させるための孔を有する必要がなくなる。
【００４５】
図４〜６、８、及び９に示したキャップ（２０、２１、２２）は、いずれも、蓋体（５０）が閉状態のときに略円柱形状を有する。しかし、本発明におけるキャップは、この形状に限られず、他の形状、例えば、略楕円柱形状、略多角柱形状等であってもよい。
【００４６】
《キャップ》
本発明の別の観点では、
キャップ本体と、上記キャップ本体にヒンジを介して連結された蓋体とを有するキャップであって、
上記蓋体は、上記ヒンジによって揺動して開閉可能であり、閉状態で上記キャップ本体と共働して容器口部を密閉することができ、かつ、上記蓋体から下方に延在する係合アームを有し、
上記係合アームは、先端に係合部を有する、
本発明のキャップ付き容器に用いられるキャップが提供される。
【００４７】
上記のキャップの構成要素の詳細については、本発明のキャップ付き容器に関する説明を参照できる。
【００４８】
本発明の更に別の観点では、
内容物を取り出すための容器口部を有する容器であって、
上記容器口部は、円周方向に延び、かつ切り欠き部を有する凸部である係合リングを外周面に有する、本発明のキャップ付き容器に用いられる容器が提供される。
【００４９】
上記の容器の構成要素の詳細については、本発明のキャップ付き容器に関する説明を参照できる。
【符号の説明】
【００５０】
１、２、３    容器口部
１ａ、２ａ、３ａ    口端部
１２    外周面
１３    係合リング
１３ａ    切り欠き部
１４    容器口部嵌合リング
２０、２１、２２    キャップ
３０    キャップ本体
３１    キャップ本体平面部
３２    キャップ口部
３３    孔
３４    裏面密閉形成部
３４ａ    裏面密閉リング
３５    キャップ本体懸垂部
３６    キャップ本体嵌合リング
４０    ヒンジ
５０    蓋体
５１    蓋懸垂部
５２    蓋平面部
５３    係合アーム
５３ａ    係合部
５５    蓋密閉形成部
５５ａ    キャップ密閉リング
５５ｂ    キャップ密閉インサート
１００    キャップ付き容器
【図１】
2020011735.tif 000003
【図２】
2020011735.tif 000004
【図３】
2020011735.tif 000005
【図４】
2020011735.tif 000006
【図５】
2020011735.tif 000007
【図６】
2020011735.tif 000008
【図７】
2020011735.tif 000009
【図８】
2020011735.tif 000010
【図９】
2020011735.tif 000011
【図１０】
2020011735.tif 000012
【図１１】
2020011735.tif 000013